(57)【要約】【課題】荷役作業に便利で、かつスリングの着脱操作が容易な吊り具を提供する。【解決手段】ベルトスリング１１を用いる吊り具において、天秤棒１aと、天秤棒１aに装着される一対のベルトスリング保持具３とを有する。各ベルトスリング保持具３は、スリングの吊り下げ方向に平行に配置されて使用される二軸５、７を備え、この二軸のうち一方７がもう一方の軸５の下方に着脱自在に取り付け可能にした。【選択図】  図１
2006160490.tif 000002
【特許請求の範囲】
【請求項１】
天秤棒と、天秤棒に装着される１以上のベルトスリング保持具とを有し、各ベルトスリング保持具は、スリングの吊り下げ方向に平行に配置されて使用されるベルトスリング保持用の二軸を備え、この二軸のうち一方がもう一方の軸の下方に着脱自在に取り付け可能にしたことを特徴とする吊り具。
【請求項２】
請求項１において、前記ベルトスリング保持具は、前記天秤棒の外周に配置される金属製のスリーブと、このスリーブに固定される一対の腕金と、この腕金に支持される前記二軸とを備え、前記腕金の下部に前記二軸のうち一方の軸を着脱自在に取り付けるための溝が設けられていることを特徴とする吊り具。
【請求項３】
請求項２において、前記二軸のうち一方の軸は、マグネットを有し、このマグネットの磁力により前記腕金に設けた溝に着脱自在に取り付けられることを特徴とする吊り具。
【請求項４】
請求項２において、前記スリーブと前記天秤棒には、位置合わせ用のピン通し孔が設けられ、前記天秤棒には、このピン通し孔が軸方向に少なくとも２個以上配設されて、前記スリーブの位置を変えられるようにした吊り具。
【請求項５】
請求項３において、前記二軸のうち着脱自在に前記腕金に装着される一方の軸は、不使用時には、前記腕金に設けた前記溝と別の孔に前記マグネットを介して取り付けられて保管されるようにしてある吊り具。
【請求項６】
請求項１〜５のいずれか１項において、使用時に長手方向に半折にされる帯材だけのベルトスリングを備え、この帯材には、両端合わせの位置を折り返す場合の目安となる目盛りが設けられている吊り具。
【請求項７】
荷役作業用のベルトスリングを吊るためのベルトスリング保持具を有する吊り具であって、前記ベルトスリング保持具は、金属製のスリーブと、このスリーブに固定される一対の腕金と、この腕金に支持される平行な二軸とを備え、この二軸のうち一方がもう一方の軸の下方に着脱自在に取り付け可能にしたことを特徴とする吊り具。
【発明の詳細な説明】
【技術分野】
【０００１】
本発明は、ベルトスリングを用いて荷物を持ち上げ、或いは搬送する吊り具に関する。
【背景技術】
【０００２】
例えばコンクリートブロックなどの荷を、クレーンを利用して持ち上げ、搬送する場合には、荷の吊り持ちにロープやベルトなどのスリングが使用される。図１１にスリングを用いた従来の吊り具の例を示す。
【０００３】
図１１は、従来のスリングを備えた吊り具１００の一例を示し、吊り具１００およびクレーン２００を利用して荷１０５を持ち上げている状態を示している。
【０００４】
吊り具１００は、本体となる金属製の天秤棒（つり棒）１００aの両端にスリング１０２を掛かり止めするフック１０１が設けられている。荷役作業を行なう場合には、スリング１０２によって荷１０５を掛けて、そのスリング１０２の両端１０２aを天秤棒１００aのフック１０１に引っ掛ける。そして、天秤棒１００に取り付けた引っ掛けワイヤ１０３をクレーン２００の巻上ロープ下端に設けたフック２０１に引っ掛けることで、クレーン操作により荷１０５を持ち上げ、搬送することが可能になる。
【０００５】
なお、従来のスリングを利用した吊り具には、例えば下記特許文献に記載されたものがある。
【０００６】
【特許文献１】特開昭６１−１１９６４２号公報
【特許文献２】特開平０５−３１１６５９号公報
【特許文献３】特開平２００３−２３１５８２号公報
【発明の開示】
【発明が解決しようとする課題】
【０００７】
従来のスリングには、ロープやベルトが使用されているが、荷役作業を行なう場合に、次のような場合に、不便であった。
【０００８】
例えば、図１２（ａ）に示すように、既存のブロック塀３００に隣接して新たにブロック塀を設置する場合、スリング１０２がロープである場合には、ロープが隣接ブロック塀３００に当たり、荷（ブロック）１０５を所定位置（隣接位置）まで寄せることが困難であった。スリング１０２が帯状の場合には、このような問題を解消できるが、スリング１０２の両端にはフック掛け止め用のリング１０２aが付いているため、図１２（ｂ）に示すようにブロック１０５を隙間を確保しつつ積み重ねたとしても、リング１０２aが障害となりスリングを抜くことができない。
【０００９】
本発明の目的は、以上のような不便さを解消し、さらにスリングの着脱操作が容易な吊り具を提供することにある。
【課題を解決するための手段】
【００１０】
本発明は、基本的には、ベルトスリングを用いる吊り具において、天秤棒と、天秤棒に装着される１以上のベルトスリング保持具とを有し、各ベルトスリング保持具は、スリングの吊り下げ方向に平行に配置されて使用される二軸を備え、この二軸のうち一方がもう一方の軸の下方に着脱自在に取り付け可能にした。
【００１１】
例えば、前記各ベルトスリング保持具は、前記天秤棒の外周に配置される金属製のスリーブと、このスリーブに固定される一対の腕金と、この腕金に支持される前記二軸とを備え、前記腕金の下部に前記二軸のうち一方の軸を着脱自在に取り付けるための溝或いは孔が設けられている。
【発明の効果】
【００１２】
本発明によれば、ベルトスリングとして、従来ような両端にリングを有するものを使用せず、帯材だけの全長にわたり平坦なベルトスリングを使用することが可能となる（ベルトスリングの使い方は「発明を実施するための最良の形態」で説明する）。したがって、既述した従来の荷役作業の不便さを解消し、さらにスリングの着脱操作が容易な吊り具を提供することができる。
【発明を実施するための最良の形態】
【００１３】
本発明の実施形態を図面に示した実施例を参照して説明する。
【００１４】
図１は、本発明の一実施例に係る吊り具の斜視図、図２は、その使用状態の一例を示す斜視図である。
【００１５】
本実施例の吊り具１は、本体となる天秤棒（吊り棒）１ａに一対のスリング保持金具３を装着する。天秤棒１ａは、金属製のパイプによりなり、その両端開口がキャップ２９により塞がれている。
【００１６】
それぞれのスリング保持金具３は、天秤棒１ａの外周に配置される金属製のスリーブ３０と、このスリーブ３０に溶接により固定される一対の腕金４と、この腕金４に支持されるスリーブ保持用の二軸５、７を備える。
【００１７】
二軸５、７のうち、一方の軸５は、スリングを掛けるための固定軸となり、溶接により腕金４に固定されている。もう一方の軸７は、マグネット（永久磁石）で形成した鍔８を有し、不使用時には、図１に示すように腕金４に設けた孔９に通され、マグネット（鍔）８が腕金４外面に吸着して、磁力により固定されている。孔９は固定軸５より上方の位置に設けられている。
【００１８】
腕金４の下部には、二軸のうち一方の軸７を使用時（荷役作業時）に着脱自在に取り付けるための溝（例えばU字溝）６が設けられている。この場合、軸７は保管用の孔９から抜き出して使用される。すなわち、二軸５，７は、スリングの吊り下げ方向Ａに平行に配置され、この二軸のうち一方の軸７がもう一方の軸５の下方に使用時（荷役作業時；ベルトスリング１１の装着時）に着脱自在に取り付け可能にしてある（図６、図７参照）。
【００１９】
スリーブ３と天秤棒１ａには、位置合わせ用のピン通し孔２１，２２が設けられる。天秤棒１ａには、ピン通し孔２２が少なくとも２個以上（本例では６個）軸方向に等間隔に配設されて、荷役の大きさに応じてスリーブ３の位置（間隔）を次のように調整できるようにしてある。ピン通し孔２１，２２には、図８に示すようにピン２０が通される。ピン２０の先端付近にはクリップ孔２４が設けられ、このクリップ孔にピン２０の抜け止めクリップ２５が装着されている。例えば、各スリーブ３を図１に示すような位置（天秤棒１ａの両端位置）から図１３に示すような位置（天秤棒１ａの中央位置）に移動させる場合には、クリップ２５を取り外し、ピン２０を抜き出して、スリーブ３を中央方向を移動させ、孔２１と中央付近の孔２２を位置合せして、これらの孔にピン２０を差込みクリップ２５を装着する。
【００２０】
天秤棒１ａの上部の両端付近には、クレーンのフックに引っ掛けるためのワイヤ２の両端を取り付けるワイヤ保持金具２６が設けられている。
【００２１】
ここで、上記構成よりなる吊り具１の使用方法を、図２〜図１０を参照して説明する。
【００２２】
図２は、本吊り具１を介して、クレーン２００が荷（例えばコンクリートブロック）１０５を持ち上げた上体を示している。吊り具１の一対のスリング保持具３には、それぞれベルトスリング１１が保持されている。
【００２３】
このベルトスリング１１は、吊り具１から取り外した時には、図９（a）に示すように、両端が離されて直線状に展開される一本の帯材からなる。このベルトスリングは、その両端に従来のようなリングを有さず、全体が平坦である。ベルトスリング１１は、使用時には、図９（ｂ）に示すように半折に折り返され、さらに図９（ｃ）に示すように、その両端合わせ付近が部分的に折り返されて、スリング保持具３に取り付けられる。
【００２４】
なお、図９（ａ）に示すようにベルトスリング１１には、両端合わせの位置を折り返す場合の目安となる目盛り１１１が設けられている
そのスリングの取り付け工程を、図３〜図７に示す。これらの図は、一対のスリング保持具３のうち、一方だけを示しており、他方については、相方と同様であるので図示省略する。
【００２５】
まず、図３に示すようにベルトスリング１１を半分に折り返し（符号（イ）の状態）、その後、スリング両端合わせ部分（符号（ロ）の部分）をスリング１１に付けた適宜の目盛り位置まで折り返す。
【００２６】
スリング保持具３については、着脱自在軸（スリング止め軸）７を図４の矢印Ｂに示すように、保管孔９から取り出す。その後、上記ベルトスリング１１の両端合わせ折り返し部分（ロ）を図５に示すように、固定軸（スリング掛け軸）５とスリーブ３０との間を通し、固定軸５に掛けてさらに矢印Ｃ方向に折り返す。そして、図６に示すように、折り返されたスリング１１の先端内側に着脱自在な止め軸７を差し込み、且つ止め軸７をU字溝６に嵌め込む。なお、図６における矢印Ｄによる図の引き出し部分は、スリング１１と固定軸５と止め軸７の関係だけを腕金４を省略して抜粋して示すものである。止め軸７はマグネット８がブラケット４に吸着すること、およびベルト１１の符号１１´で示す部分を矢印Ｆ方向（負荷方向）に引っ張ることでU字溝６に係止するので、Ｕ字溝６から抜け出ることはない。
【００２７】
このようにして、図７に示すようにベルトスリング１１がスリング保持具３に装着される。図６から図７の状態において、スリング１１の折り返されない方１１´を矢印Ｆ方向に引っ張ることで、固定軸５に重なりあった計４層のスリング折り返しのうち、内側の２層１１ｂが外側の２層１１ａにより固定軸５に押し付けられるので、スリング１１は固定軸５に自ずと締め付け、それによってスリングが取り付けられる。スリング１１を取り外す場合には、スリングの負荷（荷）を取り去った後に、止め軸７をスリング１１から抜き出し、スリング１１を矢印Ｆ方向に引けばよい。
【００２８】
このような吊り具によれば、荷役作業を行なう場合に、図１０（a）に示すように、スリングがベルト状であるので、設置しようとするブロックを隣接ブロックにぎりぎりまで近づけて吊り持ち、搬送、設置が可能である。また、図１０（ｂ）に示すように、ブロックの積み上げ時にわずかな隙間を確保しておけば簡単にスリング１１を積み上げブロック間を通して引き抜くことができる。
【００２９】
さらに、図１０（ｃ）に示すように、U字溝を基礎に設置した場合でも、スリング１１を荷役作業後に簡単に引き抜くことができる。
【００３０】
したがって、本実施例によれば、ベルトスリングの着脱が非常に簡単で、しかも荷役作業の融通性がきく実用性に富んだ吊り具を提供することができる。
【００３１】
なお、本実施例におけるU字溝６は他の形状に置き換えることもでき、さらに孔に代えることも可能である。
【００３２】
また、上記実施例では、一対のスリング保持具３の使用例を例示したが、その数は限定するものではなく、スリング保持具３は任意（１以上）であり、荷の大きさ、重量などに応じて使用数を増減させることが可能である。さらに単数のスリング保持具３を天秤棒１ａから外して図１４に示すようにワイヤ２を介してクレーンのフック２０１に使用することも可能である。図１４は、スリング保持具３を、ワイヤ２を介してクレーンのフック２０１に吊り下げた状態（荷の吊り持ちの無い状態）を示す正面図である。図１５（ｂ）、（ｃ）は、図１４の使用形態の具体例を示す側面図であり、天秤棒を介さずにクレーンおよびスリング保持具３により荷１０５を吊り持つ状態を示す。
【図面の簡単な説明】
【００３３】
【図１】本発明の一実施例に係る吊り具の斜視図。
【図２】本発明の使用状態の一例を示す斜視図。
【図３】実施例の吊り具へのベルトスリングの取り付け工程を示す説明図。
【図４】実施例の吊り具へのベルトスリングの取り付け工程を示す説明図。
【図５】実施例の吊り具へのベルトスリングの取り付け工程を示す説明図。
【図６】実施例の吊り具へのベルトスリングの取り付け工程を示す説明図。
【図７】実施例の吊り具へのベルトスリングの取り付け工程を示す説明図。
【図８】実施例の吊り具の断面図。
【図９】実施例に用いるベルトスリングの使用説明図。
【図１０】実施例の吊り具の使用状態図。
【図１１】従来の吊り具の使用状態図。
【図１２】従来の吊り具の使用時の問題点を示す説明図。
【図１３】上記実施例の吊り具の使用例を示す部分正面図。
【図１４】上記実施例の吊り具の他の使用例を示す正面図。
【図１５】上記実施例の吊り具の他の使用例を示す側面図。
【図１】
2006160490.tif 000003
【図２】
2006160490.tif 000004
【図３】
2006160490.tif 000005
【図４】
2006160490.tif 000006
【図５】
2006160490.tif 000007
【図６】
2006160490.tif 000008
【図７】
2006160490.tif 000009
【図８】
2006160490.tif 000010
【図９】
2006160490.tif 000011
【図１０】
2006160490.tif 000012
【図１１】
2006160490.tif 000013
【図１２】
2006160490.tif 000014
【図１３】
2006160490.tif 000015
【図１４】
2006160490.tif 000016
【図１５】
2006160490.tif 000017